(57)【特許請求の範囲】
【請求項１】
マッサージ機本体の背もたれ部の肩部、腰部、座部の複数箇所の左右に膨張収縮でエアーマッサージをおこなうエアーバッグを備え、更に、腕載部に膨張収縮でエアーマッサージをおこなうエアーバッグを備えたマッサージ機であって、一方の腕載部のエアーバッグを膨張して一方の腕を固定した状態で、上記肩部、腰部、座部の全ての箇所の左右のエアーバッグの膨張収縮を、左右交互に且つタイミングをずらして順次おこなう第１ストレッチ手段を備えていることを特徴とするマッサージ機。
【請求項２】
マッサージ機本体の背もたれ部の肩部、腰部、座部の複数箇所の左右に膨張収縮でエアーマッサージをおこなうエアーバッグを備え、更に、腕載部に膨張収縮でエアーマッサージをおこなうエアーバッグを備えたマッサージ機であって、両方の腕載部のエアーバッグを膨張して両方の腕を固定した状態で、上記肩部、腰部、座部の全ての箇所の左右のエアーバッグの膨張収縮を、左右交互に且つタイミングをずらして順次おこなう第２ストレッチ手段を備えていることを特徴とするマッサージ機。
【請求項３】
マッサージ機本体の背もたれ部の肩部、腰部の複数箇所の左右に膨張収縮でエアーマッサージをおこなうエアーバッグを備え、更に、座部に臀部を挟持することができるエアーバッグを備えたマッサージ機であって、座部のエアーバッグを膨張して臀部を固定した状態で、背もたれ部の肩部、腰部の全ての箇所の左右のエアーバッグの膨張収縮を、左右交互に且つタイミングをずらして順次おこなう第３ストレッチ手段を備えていることを特徴とするマッサージ機。
【請求項４】
マッサージ機本体の背もたれ部の肩部、腰部、座部の複数箇所の左右に膨張収縮でエアーマッサージをおこなうエアーバッグを備え、更に、座部の前方に設けられた脚載部に膨張収縮でエアーマッサージをおこなうエアーバッグを備えたマッサージ機であって、脚載部のエアーバッグを膨張して脚部を固定した状態で、上記肩部、腰部、座部の全ての箇所の左右のエアーバッグの膨張収縮を、左右交互に且つタイミングをずらして順次おこなう第４ストレッチ手段を備えていることを特徴とするマッサージ機。
【発明の詳細な説明】
【技術分野】
【０００１】
本発明は、エアーバッグを膨張収縮させてエアーマッサージをおこなうマッサージ機に関し、詳しくは、膨張収縮するエアーバッグを有効に利用してストレッチをおこなえるようにしようとする技術に係るものである。
【背景技術】
【０００２】
従来から、マッサージ機においては、背もたれ部に機械式の施療子を備えて、施療子が人体に対する突出方向、上下方向、幅方向に動作することにより、施療者にマッサージ効果を提供するものであり、このようなマッサージ機が主流となっている。
【０００３】
また、背もたれ部の施療子による施療域以外の場所にエアーバッグを設けてエアーバッグの膨張収縮で施療部位の拡大を図って全身マッサージをおこなう機種もある。
【０００４】
ところで、脚載部に設けたエアーバッグの膨張収縮と脚載部の起倒動作を連動することによって、ストレッチ効果が得られるマッサージ機も提案されている（例えば、特許文献１）。
【０００５】
上記特許文献１に示される従来例にあっては、脚部を載せた脚載部を起倒することでストレッチ効果を得るようにしていて、上半身は固定されていなくて、充分なストレッチ効果を得られないという問題があった。
【特許文献１】特開２００４−４１３８３公報
【発明の開示】
【発明が解決しようとする課題】
【０００６】
本発明は、従来の問題に鑑みてなされたものであって、膨張収縮してエアーマッサージをおこなうエアーバッグを有効に利用して充分なストレッチをおこなうことができるマッサージ機を提供することを課題とするものである。
【課題を解決するための手段】
【０００７】
請求項１に係る発明においては、マッサージ機本体１の背もたれ部２の肩部３、腰部４、座部５の複数箇所の左右に膨張収縮でエアーマッサージをおこなうエアーバッグ３ａ、３ｂ、４ａ、４ｂ、５ａ、５ｂを備え、更に、腕載部６、６に膨張収縮でエアーマッサージをおこなうエアーバッグ６ａ、６ｂを備えたマッサージ機であって、一方の腕載部６のエアーバッグ６ａを膨張して一方の腕を固定した状態で、上記肩部３、腰部４、座部５の全ての箇所の左右のエアーバッグ３ａ、３ｂ、４ａ、４ｂ、５ａ、５ｂの膨張収縮を、左右交互に且つタイミングをずらして順次おこなう第１ストレッチ手段イを備えていることを特徴とするものである。
【０００８】
このような構成によれば、第１ストレッチ手段イによって、一方の腕を腕載部６において膨張されるエアーバッグ６ａにて固定している状態で、肩部３と腰部４と座部５の全ての箇所の左右のエアーバッグ３ａ、３ｂ、４ａ、４ｂ、５ａ、５ｂの膨張収縮を、左右交互に且つタイミングをずらして順次おこなうことで、身体の左右のバランスを崩して充分なストレッチをおこなうことができ、ストレッチ効果を高めることができると共に、飽きないストレッチ効果を得ることができる。
【０００９】
請求項２に係る発明においては、マッサージ機本体１の背もたれ部２の肩部３、腰部４、座部５の複数箇所の左右に膨張収縮でエアーマッサージをおこなうエアーバッグ３ａ、３ｂ、４ａ、４ｂ、５ａ、５ｂを備え、更に、腕載部６、６に膨張収縮でエアーマッサージをおこなうエアーバッグ６ａ、６ｂを備えたマッサージ機であって、両方の腕載部６、６のエアーバッグ６ａ、６ｂを膨張して両方の腕を固定した状態で、上記肩部３、腰部４、座部５の全ての箇所の左右のエアーバッグ３ａ、３ｂ、４ａ、４ｂ、５ａ、５ｂの膨張収縮を、左右交互に且つタイミングをずらして順次おこなう第２ストレッチ手段ロを備えていることを特徴とするものである。
【００１０】
このような構成によれば、第２ストレッチ手段ロによって、両方の腕を腕載部６、６において膨張されるエアーバッグ６ａ、６ｂにて固定している状態で、肩部３と腰部４と座部５の全ての箇所の左右のエアーバッグ３ａ、３ｂ、４ａ、４ｂ、５ａ、５ｂの膨張収縮を、左右交互に且つタイミングをずらして順次おこなうことで、両腕を保持して身体の左右のバランスを崩したり、両腕を保持して肩や腰を移動させるストレッチをおこなうことができ、ストレッチ効果を高めることができると共に、飽きないストレッチ効果を得ることができる。
【００１１】
請求項３に係る発明においては、マッサージ機本体１の背もたれ部２の肩部３、腰部４の複数箇所の左右に膨張収縮でエアーマッサージをおこなうエアーバッグ３ａ、３ｂ、４ａ、４ｂを備え、更に、座部５に臀部を挟持することができるエアーバッグ５ａ、５ｂを備えたマッサージ機であって、座部５のエアーバッグ５ａ、５ａを膨張して臀部を固定した状態で、背もたれ部２の肩部３、腰部４の全ての箇所の左右のエアーバッグ３ａ、３ｂ、４ａ、４ｂの膨張収縮を、左右交互に且つタイミングをずらして順次おこなう第３ストレッチ手段ハを備えていることを特徴とするものである。
【００１２】
このような構成によれば、第３ストレッチ手段ハによって、臀部を固定した状態で、背もたれ部２の肩部３と腰部４の全ての箇所の左右のエアーバッグ３ａ、３ｂ、４ａ、４ｂの膨張収縮を、左右交互に且つタイミングをずらして順次おこなうことで、臀部を挟持して身体の左右のバランスを崩したり、臀部を挟持して肩や腰を移動させるストレッチをおこなうことができ、ストレッチ効果を高めることができると共に、飽きないストレッチ効果を得ることができる。
【００１３】
請求項４に係る発明においては、マッサージ機本体１の背もたれ部２の肩部３、腰部４、座部５の複数箇所の左右に膨張収縮でエアーマッサージをおこなうエアーバッグ３ａ、３ｂ、４ａ、４ｂ、５ａ、５ｂを備え、更に、座部５の前方に設けられた脚載部７に膨張収縮でエアーマッサージをおこなうエアーバッグ７ａ、７ｂを備えたマッサージ機であって、脚載部７のエアーバッグ７ａ、７ｂを膨張して脚部を固定した状態で、上記肩部３、腰部４、座部５の全ての箇所の左右のエアーバッグ３ａ、３ｂ、４ａ、４ｂ、５ａ、５ｂの膨張収縮を、左右交互に且つタイミングをずらして順次おこなう第４ストレッチ手段ニを備えていることを特徴とするものである。
【００１４】
このような構成によれば、第４ストレッチ手段ニによって、脚を固定した状態で、肩部３、腰部４、座部５の全ての箇所の左右のエアーバッグ３ａ、３ｂ、４ａ、４ｂ、５ａ、５ｂの膨張収縮を、左右交互に且つタイミングをずらして順次おこなうことで、脚を保持して身体の左右のバランスを崩したり、脚を保持して肩や腰を移動させるストレッチをおこなうことができ、ストレッチ効果を高めることができると共に、飽きないストレッチ効果を得ることができる。
【発明の効果】
【００１５】
要するに本発明は、膨張収縮してエアーマッサージをおこなうエアーバッグを有効に利用し、一部のエアーバッグを膨張して身体の一部を保持し、他のエアーバッグを膨張収縮して、身体の左右のバランスを崩してストレッチをおこなうことができ、また、一部のエアーバッグを膨張して身体の一部を保持し、他のエアーバッグを膨張して身体を押してストレッチをおこなうことができ、また、他の全てのエアーバッグの膨張収縮を、左右交互に且つタイミングをずらして順次おこなうことにより、一層、ストレッチ効果を高めることができるものである。
【発明を実施するための最良の形態】
【００１６】
以下、本発明の実施形態を添付図面に基いて説明する。図１は本発明の実施形態に係るマッサージ機の概略側面図である。図２は概略正面図である。
【００１７】
マッサージ機Ａのマッサージ機本体１は、座部５に背もたれ部２をリクライニング機構１６を介在させて接続し、座部５には腕載部６を設け、座部５の前方に脚載部７を脚部リクライニング機構１７を介在させて接続し、背もたれ部２に施療子８を駆動移動自在に内蔵して施療子８による揉み、押し等の外的刺激によるマッサージをおこなう椅子型のものである。
【００１８】
背もたれ部２のリクライニング機構１６は、背もたれ起倒モータ９、背もたれ角度センサ１０を備えて、操作部１３の操作による制御回路１４よりの制御信号に基づいて所望のリクライニング角度に操作できるようにしている。脚部リクライニング機構１７は、脚載部起倒モータ１１、脚載部角度センサ１２を備えて、操作部１３の操作による制御回路１４よりの制御信号に基づいて所望の脚部リクライニング角度に操作できるようにしている。
【００１９】
座部５、背もたれ部２の肩部３及び腰部５、腕載部６、脚載部７には各々左右にエアーバッグ５ａ、５ｂ、３ａ、３ｂ、４ａ、４ｂ、６ａ、６ｂ、７ａ、７ｂが配設され、更に、脚載部７には足先用のエアーバッグ７ｃ、７ｄが配設されている。これらエアーバッグ５ａ、５ｂ、３ａ、３ｂ、４ａ、４ｂ、６ａ、６ｂ、７ａ、７ｂ、７ｃ、７ｄには各々電磁弁Ｖ５ａ、Ｖ５ｂ、Ｖ３ａ、Ｖ３ｂ、Ｖ４ａ、Ｖ４ｂ、Ｖ６ａ、Ｖ６ｂ、Ｖ７ａ、Ｖ７ｂ、Ｖ７ｃ、Ｖ７ｄが接続され、操作部１３による制御回路１４よりの制御信号に基づいて、ポンプ１５よりの圧力空気を供給及び排気にして、各エアーバッグ５ａ、５ｂ…を独立して膨張収縮することができるようにしている。
【００２０】
座部５のエアーバッグ５ａ、５ｂは正面視において略Ｌ字状に形成されてエアーバッグ５ａ、５ｂを膨張させることで、施療者の臀部を挟持して固定することができるようにしている。肩部３のエアーバッグ３ａ、３ｂを膨張させることで、肩を保持することができるようにしている。腰部４のエアーバッグ４ａ、４ｂを膨張させることで、腰を保持することができるようにしている。
【００２１】
図３、図４は説明図であり、説明上、左右のエアーバッグ３ａ、３ｂ…の一方を図示し、他方を省略している。電磁弁Ｖ３ａ、Ｖ３ｂ…も同様である。各エアーバッグ３ａ、３ｂ…を独立して膨張収縮するエアー配管の構成は、種々設計変更することができる。以上のような図１〜図４に示すマッサージ機Ａは、以下の図５〜図２２に示す各実施形態と共通するものであり、各実施形態では、特徴的な構成のみを説明し、共通する構成の説明は省略する。
【００２２】
図５〜図８は請求項１に係る発明の実施形態を示している。
【００２３】
図５の実施形態においては、左の腕載部６のエアーバッグ６ａを膨張させて施療者の左の腕を固定した状態で、肩部３の左のエアーバッグ３ａを膨張させて、身体の左右のバランスを崩して背中をひねり状態にしてストレッチをおこなうようにしたものである。この場合、腰部４の左のエアーバッグ４ａを膨張させるようにしてもよい。
【００２４】
図６の実施形態においては、左の腕載部６のエアーバッグ６ａを膨張させて施療者の左の腕を固定した状態で、肩部３の左右のエアーバッグ３ａ、３ｂを膨張させて施療者の背中や腰を押してストレッチをするようにしたものである。この場合、腰部４の左右のエアーバッグ４ａ、４ｂを膨張させるようにしてもよい。
【００２５】
図７の実施形態においては、左の腕載部６のエアーバッグ６ａを膨張させて施療者の左の腕を固定した状態で、肩部３の左右のエアーバッグ３ａ、３ｂを交互に膨張させて、身体の左右のバランスを交互に崩して背中を交互にひねり状態にするストレッチを連続的におこなうようにしたものである。本実施形態においては、更に高いストレッチ効果が得られる。この場合、腰部４の左右のエアーバッグ４ａ、４ｂを交互に膨張させるようにしてもよい。
【００２６】
図８の実施形態においては、左の腕載部６のエアーバッグ６ａを膨張させて施療者の左の腕を固定した状態で、座部５の左のエアーバッグ５ａを膨張させて腰をひねり状態にしてストレッチをおこなうようにしたものである。座部５の右のエアーバッグ５ｂを膨張させて腰をひねり状態にしてもよい。
【００２７】
要するに、請求項１に係る発明においては、一方の腕載部６のエアーバッグ６ａ（６ｂ）を膨張して一方の腕を固定した状態で、肩部３あるいは腰部４、座部５の１箇所又は複数箇所の左右のエアーバッグ３ａ、３ｂ、４ａ、４ｂ、５ａ、５ｂを、左右交互に膨張収縮させる第１ストレッチ手段イを備えていることを特徴とするものである。
【００２８】
このような第１ストレッチ手段イによるストレッチは、背もたれ部２を倒したリクライニング姿勢でおこなうと、一層高い、ストレッチ効果が得られる。
【００２９】
また、肩部３、腰部４及び座部５のエアーバッグ３ａ、３ｂ、４ａ、４ｂ、５ａ、５ｂの膨張収縮のタイミングをずらして順次おこなうことで、飽きないストレッチ効果を得ることができる。
【００３０】
このような第１ストレッチ手段イは、制御回路１４にプログラムしておき、操作部１３による操作指示によりおこなうようにするとよい。
【００３１】
図９〜図１２は請求項２に係る発明の実施形態を示している。
【００３２】
図９の実施形態においては、左右の腕載部６のエアーバッグ６ａ、６ｂを膨張させて施療者の両腕を固定した状態で、肩部３の左のエアーバッグ３ａを膨張させて、身体の左右のバランスを崩して背中をひねり状態にしてストレッチをおこなうようにしたものである。この場合、腰部４の左のエアーバッグ４ａを膨張させてもよい。
【００３３】
図１０の実施形態においては、左右の腕載部６のエアーバッグ６ａ、６ｂを膨張させて施療者の両腕を固定した状態で、肩部３の左右のエアーバッグ３ａ、３ｂを膨張させて両肩を押すストレッチをおこなうようにしたものである。この場合、腰部４の左右のエアーバッグ４ａ、４ｂを膨張させて両腰を押すストレッチをおこなうようにしてもよい。
【００３４】
図１１の実施形態においては、左右の腕載部６のエアーバッグ６ａ、６ｂを膨張させて施療者の両腕を固定した状態で、肩部３のエアーバッグ３ａ、３ｂを左右交互に膨張収縮するようにして身体の左右のバランスを交互に崩して背中を交互にひねり状態にするストレッチを連続的におこなうようにしたものである。
【００３５】
図１２の実施形態においては、左右の腕載部６のエアーバッグ６ａ、６ｂを膨張させて施療者の両腕を固定した状態で、座部５の左右のエアーバッグ５ａ、５ｂ左右交互に膨張収縮させるようにして身体の左右のバランスを崩して腰を交互にひねり状態にするストレッチを連続的におこなうようにしたものである。
【００３６】
要するに請求項２に係る発明においては、両方の腕載部６、６のエアーバッグ６ａ、６ｂを膨張して両方の腕を固定した状態で、肩部３あるいは腰部４、座部５のうち１箇所または複数箇所の左右のエアーバッグ３ａ、３ｂ、４ａ、４ｂ、５ａ、５ｂを、左右交互に膨張収縮させる第２ストレッチ手段ロを備えていることを特徴とするものである。
【００３７】
このような第２ストレッチ手段ロによるストレッチは、背もたれ部２を倒したリクライニング姿勢でおこなうと、一層高い、ストレッチ効果が得られる。
【００３８】
また、肩部３、腰部４及び座部５のエアーバッグ３ａ、３ｂ、４ａ、４ｂ、５ａ、５ｂの膨張収縮のタイミングをずらして順次おこなうことで、飽きないストレッチ効果を得ることができる。
【００３９】
このような第２ストレッチ手段は、制御回路１４にプログラムしておき、操作部１３による操作によりおこなうようにするとよい。
【００４０】
図１３〜図１５は請求項３に係る発明の実施形態を示している。
【００４１】
図１３の実施形態においては、座部５の左右の略Ｌ字形のエアーバッグ５ａ、５ｂを膨張させて臀部を固定した状態で、肩部３の左のエアーバッグ３ａを膨張させることで、施療者の背中や腰をひねり状態にしてストレッチをおこなうようにしたものである。この場合、腰部４の左のエアーバッグ４ａを膨張させてもよい。
【００４２】
図１４の実施形態においては、座部５の左右の略Ｌ字形のエアーバッグ５ａ、５ｂを膨張させて臀部を固定した状態で、肩部３の両方の左右のエアーバッグ３ａ、３ｂを膨張させることで、施療者の肩を押すストレッチをおこなうようにしたものである。この場合、腰部４の両方の左右のエアーバッグ４ａ、４ｂを膨張させてもよい。
【００４３】
図１５の実施形態においては、座部５の左右の略Ｌ字形のエアーバッグ５ａ、５ｂを膨張させて臀部を固定した状態で、肩部３の左右のエアーバッグ３ａ、３ｂを交互に膨張収縮させることで、施療者の背中や腰を交互にひねり状態にしてストレッチをおこなうようにしたものである。この場合、腰部４の左右のエアーバッグ４ａ、４ｂを交互に膨張収縮させてもよい。
【００４４】
要するに請求項３に係る発明においては、座部５のエアーバッグ５ａ、５ａを膨張して臀部を固定した状態で、背もたれ部２の肩部３あるいは腰部４のうち１箇所または複数箇所の左右のエアーバッグ３ａ、３ｂ、４ａ、４ｂを、左右交互に膨張収縮させる第３ストレッチ手段ハを備えていることを特徴とするものである。
【００４５】
このような第３ストレッチ手段ハによるストレッチは、背もたれ部２を倒したリクライニング姿勢でおこなうと、一層高い、ストレッチ効果が得られる。
【００４６】
また、肩部３、腰部５のエアーバッグ３ａ、３ｂ、５ａ、５ｂの膨張収縮のタイミングをずらして順次おこなうことで、飽きないストレッチ効果を得ることができる。
【００４７】
このような第３ストレッチ手段ハは、制御回路１４にプログラムしておき、操作部１３による操作指示によりおこなうようにするとよい。
【００４８】
図１６〜図１９は請求項４に係る発明の実施形態を示している。
【００４９】
図１６の実施形態においては、脚載部７のエアーバッグ７ａ、７ｂを膨張して脚（ふくらはぎ）を固定し、必要ならば、足先用のエアーバッグ７ｃ、７ｄも膨張させて足先も固定した状態で、肩部３の左のエアーバッグ３ａを膨張させて背中をひねり状態にしてストレッチをおこなうようにしたものである。この場合、腰部４の左のエアーバッグ４ａを膨張させてもよい。
【００５０】
図１７の実施形態においては、脚載部７のエアーバッグ７ａ、７ｂ（７ｃ、７ｄ）を膨張して脚を固定した状態で、肩部３の左右のエアーバッグ３ａ、３ｂを膨張して施療者の肩を押すストレッチをおこなうようにしたものである。この場合、腰部４の左右のエアーバッグ４ａ、４ｂを膨張させてもよい。
【００５１】
図１８の実施形態においては、脚載部７のエアーバッグ７ａ、７ｂ（７ｃ、７ｄ）を膨張して脚を固定した状態で、肩部３の左右のエアーバッグ３ａ、３ｂを交互に膨張種縮させて施療者の肩を交互にひねるストレッチを連続しておこなうようにしたものである。この場合、腰部４の左右のエアーバッグ４ａ、４ｂを交互に膨張収縮させてよい。本実施形態においては、さらに高いストレッチ効果が得られる。
【００５２】
図１９の実施形態においては、脚載部７のエアーバッグ７ａ、７ｂ（７ｃ、７ｄ）を膨張して脚部を固定した状態で、座部５の左右のエアーバッグ５ａ、５ｂを交互に膨張収縮させて施療者の腰を交互にひねるストレッチを連続しておこなうようにしたものである。本実施形態においては、さらに高いストレッチ効果が得られる。
【００５３】
要するに請求項４に係る発明においては、脚載部７のエアーバッグ７ａ、７ｂ（７ｃ、７ｄ）を膨張して脚を固定した状態で、肩部３あるいは腰部４、座部５のうち１箇所または複数箇所の左右のエアーバッグ３ａ、３ｂ、４ａ、４ｂ、５ａ、５ｂを、左右交互に膨張収縮させる第４ストレッチ手段ニを備えていることを特徴とするものである。
【００５４】
このような第４ストレッチ手段ニによるストレッチは、背もたれ部２を倒したリクライニング姿勢でおこなうと、一層高い、ストレッチ効果が得られる。
【００５５】
また、肩部３、腰部５のエアーバッグ３ａ、３ｂ、５ａ、５ｂの膨張収縮のタイミングをずらして順次おこなうことで、飽きないストレッチ効果を得ることができる。
【００５６】
このような第４ストレッチ手段ニは、制御回路１４にプログラムしておき、操作部１３による操作指示によりおこなうようにするとよい。
【００５７】
図２０及び図２１は更に他の実施形態を示している。
【００５８】
図２０の実施形態においては、背もたれ部２を図２０（ａ）に示す設定された初期リクライニング角度に戻し、両方の腕載部６のエアーバッグ６ａ、６ｂを膨張して両方の腕を固定し、背もたれ部２の肩部３の左右のエアーバッグ３ａ、３ｂを膨張させて肩や背中を押している状態の後、背もたれ部２を起してストレッチをおこなうようにしたものである。この場合、一方の腕を固定するようにしてもよく、肩、腰、臀部のうち肩の他の１箇所または複数箇所を押すようにしてもよい。図２１はタイムチャートを示す。「予備動作」において、現状の背もたれ部２のリクライニング角度から設定された初期のリクライニング角度に変更する。
【００５９】
要するに、本実施形態においては、設定された初期リクライニング角度において、一方または両方の腕載部６のエアーバッグ６ａ、６ｂを膨張して一方または両方の腕を固定し、背もたれ部２の肩部３あるいは腰部４、座部５のうち１箇所または複数箇所の左右のエアーバッグ３ａ、３ｂ、４ａ、４ｂ、５ａ、５ｂを膨張させた後、背もたれ部２を起してストレッチをおこなう第５ストレッチ手段ホを備えていることを特徴とするものである。
【００６０】
このような第５ストレッチ手段ホによって、エアーマッサージをおこなうエアーバッグ３ａ、３ｂ、４ａ、４ｂ、５ａ、５ｂ及びリクライニング機構１６を有効に利用してストレッチ効果を得ることができる。
【００６１】
このような第５ストレッチ手段ホによるストレッチは、肩部３、腰部５のエアーバッグ３ａ、３ｂ、５ａ、５ｂの膨張収縮のタイミングをずらして順次おこなうことで、飽きないストレッチ効果を得ることができる。
【００６２】
このような第５ストレッチ手段ホは、制御回路１４にプログラムしておき、操作部１３による操作指示によりおこなうようにするとよい。
【００６３】
図２２及び図２３は更に他の実施形態を示している。
【００６４】
図２２の実施形態においては、脚載部７を図２２（ａ）に示す設定された初期の脚部リクライニング角度に戻し、背もたれ部２の肩部３のエアーバッグ３ａ、３ｂを膨張させて肩及び背中を固定し、それと同時に、脚載部７のエアーバッグ７ａ、７ｂを膨張して脚を固定した後、脚載部７を初期の脚部リクライニング角度より下げてストレッチをおこなう第６ストレッチ手段ヘを備えているものである。この場合、腰部４のエアーバッグ４ａ、４ｂを膨張させて腰を固定してもよい。また、脚載部７の足先用のエアーバッグ７ｃ、７ｄを膨張させて足先まで固定してもよい。図２３はタイムチャートを示す。「予備動作」において、現状の脚載部７の脚部リクライニング角度から設定された初期の脚部リクライニング角度に変更する。
【００６５】
要するに、本実施形態においては、設定された初期の脚部リクライニング角度において、肩部３あるいは腰部４のうち１箇所または両方の箇所のエアーバッグ３ａ、３ｂ、４ａ、４ｂを膨張して肩あるいは腰または肩及び腰を固定し、脚載部７のエアーバッグ７ａ、７ｂが膨張して脚を固定した後、脚載部７を下げることで、ストレッチをおこなう第６ストレッチ手段ヘを備えているものである。
【００６６】
このような第６ストレッチ手段ヘによって、施療者の脚と背中を固定した状態で、脚部リクライニング機構１７を有効に利用して、ストレッチ効果を得ることができる。
このような第６ストレッチ手段ヘによるストレッチは、背もたれ部２をリクライニング機構１６にて倒した状態でおこなうことで、さらに高いストレッチ効果を得ることができる。
【００６７】
このような第６ストレッチ手段ヘは、制御回路１４にプログラムしておき、操作部１３による操作指示によりおこなうようにするとよい。
【図面の簡単な説明】
【００６８】
【図１】本発明に係るマッサージ機の実施形態の概略全体側面図である。
【図２】同上の概略全体正面図である。
【図３】同上のエアーの供給経路を示す説明図である。
【図４】同上の操作系を示す説明図である。
【図５】請求項１に係る発明のマッサージ機の実施形態の動作を示し、平面視における説明図である。
【図６】同上の動作を示し、平面視における説明図である。
【図７】（ａ）（ｂ）は同上の動作を示し、平面視における説明図である。
【図８】同上の動作を示し、正面視における説明図である。
【図９】請求項２に係る発明のマッサージ機の実施形態の動作を示し、平面視における説明図である。
【図１０】同上の動作を示し、平面視における説明図である。
【図１１】（ａ）（ｂ）は同上の動作を示し、平面視における説明図である。
【図１２】（ａ）（ｂ）は同上の動作を示し、正面視における説明図である。
【図１３】請求項３に係る発明のマッサージ機の実施形態の動作を示し、平面視における説明図である。
【図１４】同上の動作を示し、平面視における説明図である。
【図１５】（ａ）（ｂ）は同上の動作を示し、平面視における説明図である。
【図１６】請求項４に係る発明のマッサージ機の実施形態の動作を示し、平面視における説明図である。
【図１７】同上の動作を示し、平面視における説明図である。
【図１８】（ａ）（ｂ）は同上の動作を示し、平面視における説明図である。
【図１９】（ａ）（ｂ）は同上の動作を示し、正面視における説明図である。
【図２０】本発明の更に他の実施形態を示し、（ａ）（ｂ）は動作を示す説明図である。
【図２１】同上のタイムチャートである。
【図２２】本発明の更に他の実施形態を示し、（ａ）（ｂ）は動作を示す説明図である。
【図２３】同上のタイムチャートである。
【符号の説明】
【００６９】
１    マッサージ機本体
２    背もたれ部
３    肩部
３ａ  エアーバッグ
３ｂ  エアーバッグ
４    腰部
４ａ  エアーバッグ
４ｂ  エアーバッグ
５    座部
５ａ  エアーバッグ
５ｂ  エアーバッグ
６    腕載部
６ａ  エアーバッグ
６ｂ  エアーバッグ
７    脚載部
７ａ  エアーバッグ
７ｂ  エアーバッグ
７ｃ  エアーバッグ
７ｄ  エアーバッグ
【図１】
0004848812.tif 000002
【図２】
0004848812.tif 000003
【図３】
0004848812.tif 000004
【図４】
0004848812.tif 000005
【図５】
0004848812.tif 000006
【図６】
0004848812.tif 000007
【図７】
0004848812.tif 000008
【図８】
0004848812.tif 000009
【図９】
0004848812.tif 000010
【図１０】
0004848812.tif 000011
【図１１】
0004848812.tif 000012
【図１２】
0004848812.tif 000013
【図１３】
0004848812.tif 000014
【図１４】
0004848812.tif 000015
【図１５】
0004848812.tif 000016
【図１６】
0004848812.tif 000017
【図１７】
0004848812.tif 000018
【図１８】
0004848812.tif 000019
【図１９】
0004848812.tif 000020
【図２０】
0004848812.tif 000021
【図２１】
0004848812.tif 000022
【図２２】
0004848812.tif 000023
【図２３】
0004848812.tif 000024